【手続補正書】
【提出日】平成24年3月16日(2012.3.16)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示する変動表示部を備え、該変動表示部に導出表示された識別情報の表示結果が予め定められた特定表示結果となったときに、遊技者にとって有利な特定遊技状態に制御する遊技機であって、
前記特定遊技状態に制御するか否かを、前記識別情報の表示結果が導出表示される以前に決定する事前決定手段と、
該事前決定手段による決定に基づいて、前記識別情報の変動表示を実行する変動表示実行手段と、
前記事前決定手段による決定に基づいて、前記特定遊技状態に制御される可能性があることを報知する複数の予告演出のうちから実行する予告演出を決定する予告演出決定手段と、
該予告演出決定手段により決定された予告演出を実行する予告演出実行手段とを備え、
前記複数種類の予告演出には、前記特定遊技状態に制御される場合および前記特定遊技状態に制御されない場合ともに実行可能であり前記特定遊技状態に制御されることを所定の割合で予告する通常予告演出と、前記特定遊技状態に制御される場合のみに実行可能であり前記特定遊技状態に制御されることが確定したことを報知する確定報知予告演出とが含まれ、
前記予告演出決定手段は、
前記通常予告演出の態様に基づいて分類された複数種類の通常予告演出種別のうちいずれの通常予告演出種別に属する通常予告演出を実行するかを決定する通常予告種別決定手段と、
該通常予告種別決定手段により決定された通常予告演出種別に属する通常予告演出のうちから前記実行する通常予告演出を決定する通常予告決定手段と、
前記確定報知予告演出を実行するか否かを決定する確定予告演出決定手段と、を含んでなり、
前記予告演出実行手段は、前記通常予告演出と前記確定報知予告演出とを同じ変動表示中に実行可能であることを特徴とする、遊技機。
【手続補正２】
【補正対象書類名】明細書
【補正対象項目名】００１１
【補正方法】変更
【補正の内容】
【００１１】
（２）  前記（１）の遊技機において、前記変動表示部とは別個に設けられ、所定の報知をするための複数種類の報知手段（スピーカ２７、ＬＥＤ２５，２８，８５ａ〜８５ｃ等）をさらに備え、
前記予告演出実行手段は、前記複数種類の報知手段のうちの少なくとも１つの報知手段（スピーカ２７）を用いて、前記確定報知予告演出を実行する（図４０、図５１のＳ７７６、図５９のＳ５１２）。
【手続補正３】
【補正対象書類名】明細書
【補正対象項目名】００１３
【補正方法】変更
【補正の内容】
【００１３】
（３）  前記（１）または（２）の遊技機において、前記複数種類の通常予告演出には、第１の通常予告演出（群予告、メール予告、ステップアップ予告等のいずれかの予告演出種別）と該第１の通常予告演出と同じ変動表示中に実行しない第２の通常予告演出（群予告、メール予告、ステップアップ予告等のいずれかの予告演出種別）とが含まれ、
前記通常予告種別決定手段は、通常予告演出種別を決定するときに、第１の通常予告演出が属する通常予告演出種別と、前記第２の通常予告が属する通常予告演出種別とを排他的に選択決定する（図６４等に示すように群予告、メール予告、ステップアップ予告の予告演出種別はいずれか１つの種別がＳＲ８の値に基づいて排他的に選択決定される）。
【手続補正４】
【補正対象書類名】明細書
【補正対象項目名】００１５
【補正方法】変更
【補正の内容】
【００１５】
（４）  前記（３）の遊技機において、前記第１の通常予告演出と前記第２の通常予告演出とは、前記変動表示部において予告演出に用いられる表示領域の少なくとも一部、および、予告演出の実行タイミングの少なくとも一部が重複する予告演出である（図４２〜図４４）。
【手続補正５】
【補正対象書類名】明細書
【補正対象項目名】００１７
【補正方法】変更
【補正の内容】
【００１７】
（５）  前記（１）から（４）のいずれかの遊技機において、前記予告演出実行手段は、複数のタイミング（変動開始時のタイミング、直ちに出力するタイミング）から選択したタイミングになったときに前記確定報知予告演出を実行する（図７６、図５１のＳ７７６、図５９のＳ５１２）。
【手続補正６】
【補正対象書類名】明細書
【補正対象項目名】００１９
【補正方法】変更
【補正の内容】
【００１９】
（６）  前記（１）から（５）のいずれかの遊技機において、遊技媒体（遊技球、パチンコ玉など）が流下可能な遊技領域（遊技領域７）へ遊技媒体を打込むことにより遊技が行なわれ、遊技媒体が始動領域（第１始動入賞口１３、第２始動入賞口１４、ゲート３２）を通過したことに基づいて前記変動表示部にて変動表示が実行されるものであり、
前記遊技媒体が前記始動領域を通過したときに、前記特定遊技状態に制御するか否かを特定するための情報（ランダムＲから抽出した値、当り判定結果）を所定の上限数の範囲内で保留記憶情報として記憶する保留記憶手段（遊技制御用マイクロコンピュータ５６０、ＲＡＭ５５、第１保留記憶バッファおよび第２保留記憶バッファ、図１６のＳ２１５、Ｓ２２６）をさらに備え、
前記変動表示実行手段は、前記特定遊技状態に制御されておらず、かつ、前記変動表示部において前記識別情報の変動表示が実行されていないときに前記保留記憶手段に記憶された保留記憶情報に基づいて前記変動表示部の変動表示を実行し（図１９のＳ５１〜図２０のＳ７６）、
前記予告演出実行手段は、前記特定遊技状態に制御する旨を示す保留記憶情報が前記保留記憶手段に記憶されているときに、当該保留記憶情報に基づく変動表示より以前に表示結果を導出表示する変動表示において、前記確定報知予告演出を実行可能である（演出制御用マイクロコンピュータ１００が、先読み判定結果を指定する始動入賞指定コマンドを受信したときに、図３５のコマンド解析処理において、Ｓ６５４により予告判定処理が行なわれるので、当該始動入賞指定コマンドが示す先読み判定結果により示す変動表示が行なわれる以前に表示結果を導出表示する変動表示において、一発告知予告が行なわれる）。
【手続補正７】
【補正対象書類名】明細書
【補正対象項目名】００２１
【補正方法】変更
【補正の内容】
【００２１】
（７）  前記（６）の遊技機において、前記予告演出実行手段は、前記確定予告演出決定手段により確定報知予告演出を実行することが決定されたときに、当該決定に応じて１回だけ前記確定報知予告演出を実行する（図５１の予告判定処理は、図３５のように、先読み判定結果を指定する始動入賞指定コマンドを受信したごとに実行され、それに基づいて、図５１のＳ７７６または図５９のＳ５１２により一発告知予告が行なわれるので、始動入賞指定コマンドが示す先読み判定結果により示す変動表示が行なわれる以前に複数回の変動表示が行なわれる場合であっても、一発告知予告は１回のみ行なわれる。）。
【手続補正８】
【補正対象書類名】明細書
【補正対象項目名】００２３
【補正方法】変更
【補正の内容】
【００２３】
（８）  前記（１）から（７）のいずれかの遊技機において、前記確定予告演出決定手段により前記確定報知予告演出を実行することが決定されたときに、前記予告演出実行手段により前記確定報知予告演出が実行された後に、特定の演出（一発告知後特定演出）を実行する（図４５）特定演出実行手段（演出制御用マイクロコンピュータ１００、図８４のＳ８４９１〜Ｓ８４９６）をさらに備えた。
【手続補正９】
【補正対象書類名】明細書
【補正対象項目名】００２５
【補正方法】変更
【補正の内容】
【００２５】
（９）  前記（８）の遊技機において、遊技者が操作可能な操作手段（操作ボタン１３０）をさらに備え、
前記特定演出実行手段は、前記操作手段に対する操作がされたことを条件として前記特定の演出を実行する（図４５、図８４のＳ８４９２）。